(57)【要約】【課題】    バックライト付き両面液晶表示装置において、バックライトからの光を必要に応じて両面の液晶表示素子に分配できる構成が望まれる。【解決手段】    両面液晶表示装置は、両面から光を発光する面状バックライトと、面状バックライトの両側に配置された、第１、第２の透過型液晶表示素子と、面状バックライトと第１、第２の透過型液晶表示素子の少なくとも一方との間に配置され、選択的に透明状態とミラー状態をとることができる可変ミラーと、可変ミラーを制御する制御回路と、を有する。【選択図】  図１
2015210298.tif 000002
【特許請求の範囲】
【請求項１】
両面から光を発光する面状バックライトと、
前記面状バックライトの両側に配置された、第１、第２の透過型液晶表示素子と、
前記面状バックライトと前記第１、第２の透過型液晶表示素子の少なくとも一方との間に配置され、選択的に透明状態とミラー状態をとることができる可変ミラーと、
前記可変ミラーを制御する制御回路と、
を有する両面液晶表示装置。
【請求項２】
前記可変ミラーが、透明電極を備え対向配置された透明基板対と透明電極間に挟持され、透明電極間への電圧印加により一方の透明電極上にミラー膜を堆積することのできる電解液を含む、請求項１に記載の両面液晶表示装置。
【請求項３】
前記制御回路が、一方の透明電極上にミラー又はハーフミラーを形成する電圧を選択的に印加することのできる、請求項２に記載の両面液晶表示装置。
【請求項４】
前記可変ミラーが、固定設置した金属ミラーも含む請求項２または３に記載の両面液晶表示装置。
【請求項５】
前記可変ミラーの透明電極が、選択的に電圧を印加できる複数領域を含む、請求項２〜４のいずれか１項に記載の両面液晶表示装置。
【請求項６】
前記可変ミラーが、面状バックライトと第１、第２の透過型液晶表示素子との間に配置された、第１、第２の可変ミラーを含む、請求項１〜５のいずれか１項に記載の両面液晶表示装置。
【請求項７】
両面から光を発光する面状バックライトと、
前記面状バックライトの少なくとも一方に配置され、選択的に透明状態とミラー状態をとることができる可変ミラーと、
前記可変ミラーを制御する制御回路と、
を有するバックライトユニット。
【発明の詳細な説明】
【技術分野】
【０００１】
本発明は、両面液晶表示装置及びバックライトユニットに関する。
【背景技術】
【０００２】
携帯電話機などの携帯型情報端末機器において、本体の両面に液晶表示部を備えたものがある。全体としての構成を簡略化し、部品数を低減するには、両面の液晶表示部で構成要素を共用することが考えられる。
【０００３】
バックライトと、バックライトからの光を受け、画像信号を表示する透過型の第１液晶パネルと、バックライトを挟んで第１液晶パネルの逆側に配置され、バックライトからの光を受け、画像信号を表示する透過型の第２液晶パネルと、バックライトと第１、第２液晶パネルとの間に配置され、バックライトのランプイメージを消す第１、第２拡散板とを備えた表示装置が提案されている（例えば特許文献１）。
【０００４】
光源を共用する２つの液晶パネルを平行配置する場合、光源が発する光は、ほぼ等しい光量の２部分に分割される。２つの液晶パネルの一方を、他方より優遇して扱いたい場合もあろう。
【０００５】
光源と光源から光を導入し１面側及び他面側に面状発光させる導光板と導光板の他面側に配置された半透過反射体とを備える両面発光型の板状発光体と、板状発光体の第１面側及び第２面側に配置された第１、第２液晶表示パネルと、を備え、半透過反射体が導光板から供給される光の一部を第１液晶パネル側に反射することで、例えば第１液晶パネルに７０％〜９０％の光を、第２液晶パネルに１０％〜３０％の光を出射させる液晶表示モジュールが提案されている（例えば特許文献２）。
【０００６】
これらの構成においては、光源からの光が第１面側、他面側に一定比率で常時供給される。
【先行技術文献】
【特許文献】
【０００７】
【特許文献１】特開２０００−３３８４８３号公報。
【特許文献２】特開２００４−１４４９９０号公報、
【発明の概要】
【発明が解決しようとする課題】
【０００８】
バックライト付き両面液晶表示装置において、バックライトからの光を必要に応じて両面の液晶表示素子に分配できる構成が望まれる。
【課題を解決するための手段】
【０００９】
実施例によれば、
両面から光を発光する面状バックライトと、
前記面状バックライトの両側に配置された、第１、第２の透過型液晶表示素子と、
前記面状バックライトと前記第１、第２の透過型液晶表示素子の少なくとも一方との間に配置され、選択的に透明状態とミラー状態をとることができる可変ミラーと、
前記可変ミラーを制御する制御回路と、
を有する両面液晶表示装置が提供される。
【発明の効果】
【００１０】
選択的に、可変ミラーをミラー状態にし、入射光を面状バックライトの逆側の透過型液晶表示素子に向って反射させることができる。
【図面の簡単な説明】
【００１１】
【図１】図１Ａは第１実施例による両面液晶表示装置の構成を概略的に示す断面図であり、図１Ｂ，１Ｃは第１実施例による両面液晶表示装置の両面表示モードの動作、片面表示モードの動作を概略的に示す断面図である。
【図２】図２Ａは第１実施例に用いる可変ミラーの構成を概略的に示す断面図、図２Ｂ，２Ｃは可変ミラーの動作を示す断面図である。
【図３】図３Ａ，３Ｂ，３Ｃは、可変ミラーのサンプルの透過率、反射率、印加電圧に対する透過率の変化を示すグラフである。
【図４】図４Ａは第２実施例による両面液晶表示装置の構成を概略的に示す断面図、図４Ｂ，４Ｃは第２実施例による両面液晶表示装置の２種類の反射モードを概略的に示す断面図である。
【図５】図５は、第３の実施例による両面液晶表示装置に用いる可変ミラーの構成例を概略的に示す断面図である。
【図６】図６Ａ，６Ｂは、第３の実施例による両面液晶表示装置の構成と動作を概略的に示す断面図である。
【図７−１】及び
【図７−２】図７Ａ，７Ｂ，７Ｃは、第３の実施例の変形例による両面液晶表示装置の構成と動作を概略的に示す断面図である。
【符号の説明】
【００１２】
ＬＣＤ  液晶表示素子、ＢＬ  バックライト、ＶＭ  可変ミラー、１２  透明電極、１３  Ａｇ薄膜。
【発明を実施するための形態】
【００１３】
図１Ａは、第１実施例による両面液晶表示装置の構成を概略的に示す断面図である。光源ＬＳと光源から発する光を導く導光体ＬＧとを含むバックライトＢＬは、図中上下両方向に光を供給する。
【００１４】
光源ＬＳは、白色発光ダイオード（ＬＥＤ）アレイや冷陰極管（ＣＣＦＬ）等で構成できる。導光体ＬＧは光源ＬＳから発する光を平面状シートの両側から出射するものであれば特に限定されない。例えば、両面に処理を行った導光板シート対の１側面から光源を入射して、導光させながら均一に出光させる構成である。
【００１５】
シートの素材はポリエチレンテレフタレート（ＰＥＴ），アクリル樹脂、ポリカーボネート樹脂、シリコーン系樹脂、シクロポリオレフィン樹脂等の合成樹脂、又はガラス等を用いることができる。導光板は、２枚のシートを平行配置し、シートの間に光源の光を反射させながら導光する一般的な構成とすることができる。対向するシート対の内面又は外面に微細な凹凸を形成して出射光を形成できる。微細な凹凸の密度を、光源から離れるに従って高くすることにより、距離に拘わらず、均一な光量の光を出射することが可能になる。
【００１６】
光源と導光体の組み合わせによるバックライトを用いる場合を説明したが、両面が面状発光するバックライトを用いることもできる。例えば有機ＥＬシートを用いることができる。ＬＥＤをマトリクス状に並べたものとＢＥＦ等の輝度向上微細プリズムパターンシート等の組み合わせを用いることもできる。
【００１７】
バックライトＢＬの上方に第１の液晶表示素子ＬＣＤ１が配置されている。第１の液晶表示素子ＬＣＤ１はインジウム錫酸化物（ＩＴＯ）等で形成された透明電極２ａ、２ｂを備えたガラスなどの透明基板１ａ、１ｂの間に液晶層３を挟持する。液晶層は水平配向でも垂直配向でもよい。透明基板の外側に一対の偏光板４ａ、４ｂが配置されている。液晶表示素子は、公知の構成を有する。バックライトＢＬの下方にも、公知の構成の第２の液晶表示素子ＬＣＤ２が配置されている。第２の液晶表示素子ＬＣＤ２も、例えば第１の液晶表示素子と同様に、透明電極２ａ、２ｂを備えた透明基板１ａ、１ｂの間に液晶層３を挟持し、透明基板の外側に一対の偏光板４ａ、４ｂが配置された構成を有する。尚、以下の図においては、液晶表示素子の構成は簡略化して示す。
【００１８】
バックライトＢＬと第２の液晶表示素子ＬＣＤ２との間に可変ミラーＶＭが配置されている。可変ミラーＶＭは、通常透明状態であり、駆動電圧を印加することによりミラー（鏡）状態に変化させることができる。
【００１９】
図１Ｂは、可変ミラーＶＭが透明状態である場合を示す。バックライトＢＬから上方に出射された光は第１の液晶表示素子ＬＣＤ１に供給され、バックライトＢＬから下方に出射された光は透明な可変ミラーＶＭを透過して、第２の液晶表示素子ＬＣＤ２に供給される。両液晶表示素子ＬＣＤ１とＬＣＤ２により、両面表示を行うことができる。
【００２０】
図１Ｃは、可変ミラーＶＭをミラー（鏡）状態にした場合を示す。バックライトＢＬから可変ミラーＶＭに入射した光は、ミラー状態の可変ミラーＶＭで反射／反転され、バックライトＢＬを透過して、第１の液晶表示素子ＬＣＤ１に供給される。図１Ｂの状態と比較すると、直進光と反射光が重畳されるので、輝度を高めた照明で第１の液晶表示素子を動作させることができる。
【００２１】
なお、可変ミラーＶＭは、透明状態とミラー状態の中間（一部透過／一部反射）の状態に設定することもできる。即ち、可変ミラーＶＭへの入射光は、一部反射され、一部透過する。第１の液晶表示素子ＬＣＤ１を反射光によって輝度を高めて表示でき、図１Ｃ中破線で示すように、輝度を低下した透過光によって、第２の液晶表示素子ＬＣＤ２を低い輝度で表示できる。以下、ミラー素子の構成例を説明する。
【００２２】
図２Ａに示すミラー素子ＶＭにおいては、ガラス等で形成された一対の透明基板１１ａ，１１ｂ上にインジウム錫酸化物（ＩＴＯ）等の透明電極１２ａ，１２ｂが形成されている。上下の透明基板１１ａ，１１ｂをシール部材１５を介して対向させ、基板間の空間にエレクトロデポジション材料１７を含む電解液１６を収容する。
【００２３】
電解液１６は、エレクトロデポジション材料１７である銀を含む化合物（ＡｇＮＯ３等）、メディエータ（ＣｕＣｌ２等）、電解質の浄化剤である支持電解質(ＬｉＢｒ等)、溶媒（ＤＭＳＯ：dimethyl sulfoxide等）、ゲル化用ポリマー（ＰＶＢ：polyvinyl butyral 等）等により構成される。
【００２４】
溶媒であるＤＭＳＯ の中に、ＡｇＮＯ３を５０ｍＭエレクトロクロミック剤として添加し、ＬｉＢｒを２５０ｍＭ支持電解質として加え、ＣｕＣｌ２を１０ｍＭメディエータとして加える。この電解質にＰＶＢを１０ｗｔ％ホストポリマーとして加える。
【００２５】
ゲル化用ポリマーは加えなくても良い。支持電解質は、エレクトロデポジション材料の酸化還元反応等を促進するものであれば限定されず、例えばリチウム塩（ＬｉＣｌ、ＬｉＢｒ、ＬｉＩ、ＬｉＢＦ４、ＬｉＣｌＯ４等）、カリウム塩（ＫＣｌ、ＫＢｒ、ＫＩ等）、ナトリウム塩（ＮａＣｌ、ＮａＢｒ、ＮａＩ等）を好適に用いることができる。支持電解質の濃度は、例えば１０ｍＭ以上１Ｍ以下であることが好ましいが、これも特に限定されるものではない。
【００２６】
溶媒は、エレクトロデポジション材料等を安定的に保持できるものであれば限定されない。水や炭酸プロピレン等の極性溶媒、極性のない有機溶媒、更には、イオン性液体、イオン導電性高分子、高分子電解質等を使用することが可能である。具体的には、炭酸プロピレン、ジメチルスルホキシド、Ｎ，Ｎ−ジメチルホルムアミド、テトラヒドロフラン、アセトニトリル、ポリビニル硫酸、ポリスチレンスルホン酸、ポリアクリル酸等を用いることができる。
【００２７】
図２Ａに示す、エレクトロデポジション材料を含むミラー素子の作製工程を簡略に説明する。ＩＴＯ等の透明電極１２ａ，１２ｂを備えたガラス等の透明基板１１ａ，１１ｂを準備する。
【００２８】
メインシールパターン１５を片方の透明基板（どちらでも良い）の上に形成する。例えば、ＵＶ＋熱硬化タイプのシール材を用いる。シール材はこれに限らず光硬化タイプ、熱硬化タイプを用いても良い。用いる電解液に耐えるシール材料（腐食されないシール材）が好ましい。
【００２９】
２０ミクロンから数百ミクロンのギャップコントロール剤（実施例では５００ミクロン）を片方の基板（どちらでも良い）の上に散布する。例えば、１-３個/ｍｍ２となるように散布を行う。ギャップコントロール剤によるギャップコントロールに代え、リブなどの突起によってギャップコントロールを行ってもよい。また小型素子の場合、シール部分に所定の厚さを有するフィルム状のスペーサを用いてギャップを制御しても良い。
【００３０】
エレクトロデポジション材料を含む電解液(ゲル)を両基板間に封入する。例えば、ＯＤＦ（ワンドロップフィリング）工程を用いる。エレクトロデポジション材料を含むゲル電解液を片側の基板上に適量滴下する。滴下方法としてはディスペンサやインクジェットを含む各種印刷方式が適用できる。例えば、ディスペンサを用いて適量滴下する。
【００３１】
真空中（もしくは大気中、もしくは窒素雰囲気中）で両基板の重ね合せを行う。紫外線をシール部に照射（ここでは６Ｊ／ｃｍ２）して、ＵＶ＋熱硬化タイプのシール材を硬化する。例えば、シール部のみに光が当たるようＳＵＳマスク等を用いる。
【００３２】
ミラー素子ＶＭの透明電極１２ａを基準電位として，制御回路１９から透明電極１２ｂに負の直流電圧、例えば約−２．５Ｖを印加すると、負電圧を印加された透明電極１２ｂ上に、ＡｇＮＯ３に由来する銀（Ａｇ）薄膜１３が形成される。数秒でミラーにすることが可能である。電圧印加を停止すると、やがて銀薄膜１３は消滅する。逆極性の電圧を印加すると、ミラー消滅の変化が速められる。
【００３３】
図２Ｂは、可変ミラーＶＭが透明状態である時のバックライトＢＬから第２の液晶表示素子ＬＣＤ２に向う光の進行を示す概略断面図である。バックライトＢＬから供給された光は可変ミラーＶＭを直進して第２の液晶表示素子ＬＣＤ２に進む。
【００３４】
図２Ｃは、可変ミラーＶＭがミラー状態である時のバックライトＢＬから第２の液晶表示素子ＬＣＤ２に向う光の進行を示す概略断面図である。バックライトＢＬから供給された光は、ミラー化した可変ミラーＶＭにおいて、透明電極１２ｂ上に形成されたＡｇ薄膜１３で反射され、反転して上方に向い、バックライトの導光板を透過して上方に進む。
【００３５】
なお、電解液による吸収を避けるためバックライト側の透明電極にミラーを形成する場合を説明するが、制限的なものではない。液晶表示素子側の透明電極にミラーを形成することも可能である。
【００３６】
図３Ａは、透明（電圧無印加）状態の可変ミラー素子ＶＭのサンプルの透過率を示すスペクトルである。縦軸が透過率を単位（％）で示し、横軸が波長を単位（ｎｍ）で示す。初期状態のセル(素子)はほぼ透明な状態であった。全波長範囲で８０％以上の比較的高い透過率を示している。直流電圧を印加すると、負電位側の電極１２ｂ表面にＡｇ層１３が形成され、ミラー状態にすることができる。
【００３７】
図３Ｂは、可変ミラー素子ＶＭのサンプルの透明電極１２ａを基準（接地）電位とし、透明電極１２ｂに−２．５Ｖの負電位を印加した時の上側透明基板１１ｂ（透明電極１２ｂ）側から測定した反射率の変化を示すグラフである。横軸が波長を単位（ｎｍ）で示し、縦軸が反射率を単位（％）で示す。実線が初期状態を示し、破線が銀薄膜形成後の状態を示す。
【００３８】
なお、印加電圧、及び／又は印加時間を制御することにより、中間状態（透過率、反射率が中間の値である、いわゆるハーフミラー状態）を実現することもできる。
【００３９】
図３Ｃは、可変ミラー素子ＶＭのサンプルにおける、印加電圧に依存する透過率の変化を示すグラフである。縦軸が透過率を単位（％）で示し、横軸が印加電圧を単位（Ｖ）で示す。例えば、２．５Ｖ以上の電圧を印加するとミラー状態とすることができ、中間的な電圧、例えば２．２Ｖを印加するとハーフミラーの状態を実現できる。
【００４０】
第１の実施例においては、表側の液晶表示素子の輝度を高めることができた。以下、表側、裏側のいずれの液晶表示素子の輝度を高めることもできる第２の実施例を説明する。
【００４１】
図４Ａは、第２の実施例による両面液晶表示素子の構成を概略的に示す断面図である。図１Ａに示した第１の実施例と異なる点を中心に説明する。バックライトＢＬと表面側（上側）の第１の液晶表示素子ＬＣＤ１との間に、第１の可変ミラーＶＭ１が配置され、バックライトＢＬと裏面側（下側）の第２の液晶表示素子ＬＣＤ２との間に第２の可変ミラーＶＭ２が配置されている。
【００４２】
図４Ｂは、第１の可変ミラーＶＭ１をミラー状態として、バックライトＢＬから上方に向う光を反射／反転して、第２の液晶表示素子ＬＣＤ２に向かわせる状態を示す。輝度を高めた照明で、第２の液晶表示素子ＬＣＤ２が表示される。
【００４３】
図４Ｃは、第２の可変ミラーＶＭ２をミラー状態として、バックライトＢＬから下方に向う光を反射して、第１の液晶表示素子ＬＣＤ１に向かわせる状態を示す。輝度を高めた照明で、第１の液晶表示素子ＬＣＤ１が表示される。
【００４４】
例えば、第１、第２の液晶表示素子ＬＣＤ１，ＬＣＤ２が同等の機能を有し、状況によって、いずれかを強調表示したい場合、可変ミラーを選択的に駆動して、目的とする液晶表示素子を高い輝度で表示することができる。
【００４５】
なお、図４Ｂ，４Ｃいずれの状態においても、可変ミラーを全反射ミラーとする代わりに、部分反射ミラー（ハーフミラー）とすることにより明暗の差がある両面表示を行うこともできる。
【００４６】
第１、第２の実施例においては、対象とする液晶表示素子の全表示面に対応する可変ミラーを用いた。表示面を複数の領域に分割し、各領域の輝度を選択的に制御することも可能である。
【００４７】
図５は、第３の実施例による両面液晶表示装置に用いる可変ミラーの構成例を概略的に示す断面図である。上側の透明基板１１ｂはその上に１つの透明電極１２ｂを備え、下側の透明基板１１ａ上に形成される透明電極１２ｃは４つの領域に分割され、それぞれ独立に電圧を印加できる構成である。その他の構成は、第１、第２の実施例の可変ミラー同様である。
【００４８】
図６Ａは、複数領域に分割された透明電極を有する可変ミラーを用いた両面液晶表示装置の構成例を示す断面図である。バックライトＢＬの上方、下方に第１、第２の液晶表示素子ＬＣＤ１，ＬＣＤ２が配置されているのは、第１、第２の実施例同様である。バックライトＢＬと液晶表示素子ＬＣＤ１，ＬＣＤ２との間に第１、第２の可変ミラーＶＭ１，ＶＭ２が配置されている。可変ミラーＶＭのバックライト側の透明電極１２ｃが複数の領域に分割されている。
【００４９】
図の構成においては、第１の可変ミラーＶＭ１のバックライト側透明電極１２ａが４分割され、第２の可変ミラーＶＭ２のバックライト側透明電極１２ａが３分割されている。可変ミラーＶＭの分割された透明電極は、それぞれの分割領域に選択的にミラー（ハーフミラーを含む）を形成することができる。
【００５０】
上側に配置された第１の可変ミラーＶＭ１における、バックライト側の４分割された透明電極１２ｃをそれぞれ独立に駆動することにより、下側に配置された第２の液晶表示素子ＬＣＤ２の４領域の輝度を選択的に高めることができる。経時的に位置を変化する強調表示が可能となる。
【００５１】
下側に配置された第２の可変ミラーＶＭ２における、バックライト側の３分割された透明電極１２ｃをそれぞれ独立に駆動することにより、上側に配置された第１の液晶表示素子ＬＣＤ１の３領域の輝度を選択的に高めることができる。経時的に位置を変化する強調表示が可能となる。
【００５２】
図６Ｂは、第２の液晶表示素子ＶＭ２を部分的に表示する場合を示す。バックライトＢＬより下側の可変ミラーＶＭ２の３分割透明電極１２ｃの内、両側の２透明電極をミラー化する。両側の２透明電極１２ｃの表面にＡｇ薄膜１３を形成する。中央の透明電極１２ｃはミラー化しない。バックライトＢＬから第２の液晶表示素子ＬＣＤ２に向う光の内、中央の透明電極１２ｃに達した光は、透明電極１２ｃを透過して、第２の液晶表示素子ＬＣＤ２の中央部を照明し、両側の透明電極１２ｃに達した光はＡｇ薄膜１３で反射／反転され、第２の液晶表示素子ＬＣＤの両側領域には光が供給されない。第２の可変ミラーＶＭ２で反射／反転された光は、第１の液晶表示素子の照明用に利用することが可能である。
【００５３】
携帯電話などで表面側の表示と裏面側の表示とで表示面積が異なる場合には図７Ａ−７Ｃのような構造にしても良い。
【００５４】
上側の第１の液晶表示素子ＬＣＤ１は大型であり、下側の第２の液晶表示素子ＬＣＤ２は小型である両面液晶表示装置とする。バックライトＢＬは共通のものを用いる。導光板ＬＧの両側には、導光板に相当する大きさの第１、第２の可変ミラーＶＭ１，ＶＭ２が配置されている。
【００５５】
図７Ａに示すように、第２の可変ミラーＶＭ２は、下側に配置された小型の第２の液晶表示装置ＬＣＤ２に合わせた寸法の透明電極１２ｄを有する。バックライトＢＬから透明電極１２ｄに向った光は、透過後第２の液晶表示素子ＬＣＤ２に達し、照明する。透明電極１２ｄの両側に向う光は、透過しても照明する対象を持たない。これらの光を有効利用するため、透明電極１２ｄの両側に固定設置した金属ミラーＭＥが形成され、入射光を反射して、第１の液晶表示素子ＬＣＤ１側に向わせている。その分、第１の液晶表示素子ＬＣＤ１の輝度は向上する。
【００５６】
第２の可変ミラーＶＭ２の両側領域が金属ミラーＭＥを有し、入射光を反射すると、第１の液晶表示素子ＬＣＤ１の両側領域の輝度が向上し、全体としてのバランスを崩す可能性がある。第１の可変ミラーＶＭ１の両側に配置された透明電極１２ｃに中間電位の負電圧を印加し、透明電極をハーフミラー化することができる。輝度の再配分を行うことげでき、均一化した輝度の表示が可能となる。
【００５７】
図７Ｂに示すように、第２の可変ミラーＶＭ２の透明電極１２ｄに負電圧を印加し、表面にＡｇ薄膜１３を形成することができる。下側の第２の液晶表示素子ＬＣＤ２の照明光はなくなり、バックライトＢＬから下側に向った光は、全て反射／反転されて、上側に配置された第１の液晶表示素子ＬＣＤ１に向う。第１の液晶表示素子ＬＣＤ１の輝度が向上する。
【００５８】
図７Ｃに示すように、第２の液晶表示素子ＬＣＤ２の輝度を向上したい場合、第１の可変ミラーＶＭ１のバックライトＢＬ側透明電極１２ｃ全てに負電圧を印加して、各透明電極表面にＡｇ薄膜１３を形成する。バックライトＢＬから上方に向った光は、第１の可変ミラーＶＭ１で反射／反転され、下方に向う。第２の液晶表示素子ＬＣＤ２の輝度が向上する。
【００５９】
以上、実施例に沿って本発明を説明したが、これらは制限的なものではない。種々の変更、置換、改良、組み合わせ、等が可能である。
【図１】
2015210298.tif 000003
【図２】
2015210298.tif 000004
【図３】
2015210298.tif 000005
【図４】
2015210298.tif 000006
【図５】
2015210298.tif 000007
【図６】
2015210298.tif 000008
【図７−１】
2015210298.tif 000009
【図７−２】
2015210298.tif 000010